(57)【要約】      （修正有）【課題】プリザーブドフラワー等を弾性発泡保持体に突き刺し自由度を持って立体的に装飾することができると共に、プリザーブドフラワー等の背丈に応じて額縁外枠を移動させて額縁長さを調節することができる額縁を提供するものである。【解決手段】額縁は、適宜の剛性材料から作製され、開口された短筒状に組み立てられる所定高さの矩形状の側枠１と、該側枠１で囲まれた開口下部を塞ぐ底板２と、前記側枠１の外周面に沿って摺動自在に嵌合された略同形状の額縁外枠３とから構成される。なお、前記額縁外枠３は、前記側枠１の上端で保持されてストッパーとなるように、前記額縁外枠３の開口上端にはロ字形状の押え板４を一体又は着脱自在に設ける。また、前記底板２には、全面にほぼ等間隔で多数点在の突刺しピン５を底板２の裏面側から底板２の表面側へ突出して設ける。【選択図】図２
0003118183.tif 000002
【実用新案登録請求の範囲】
【請求項１】
適宜の剛性材料から作製され、開口された短筒状に組み立てられる所定高さの矩形状の側枠と、該側枠で囲まれた開口下部を塞ぐ底板と、前記側枠の外周面に沿って摺動自在に嵌合された略同形状の額縁外枠とから構成される額縁において、前記底板には全面にほぼ等間隔で多数点在の突刺しピンを底板の裏面側から底板の表面側へ突出して設け、前記突刺しピンに所定大きさの弾性発泡保持体を突き刺して保持し、この弾性発泡保持体にプリザーブドフラワー等を立体的に突き刺して装飾することを特徴とする額縁。
【請求項２】
前記額縁外枠は、プリザーブドフラワー等の背丈に応じて額縁外枠を移動させて額縁長さを調節することを特徴とする請求項１記載の額縁。
【考案の詳細な説明】
【技術分野】
【０００１】
本考案は、プリザーブドフラワー、ドライフラワー、生花（以下、「プリザーブドフラワー等」という。）を立体的に装飾すると共にプリザーブドフラワー等の背丈に応じて額縁長さを調節することができる額縁に関する。
【背景技術】
【０００２】
従来、生花やドライフラワーを装飾用の壁掛け式額縁内に配置し、立体的な花額縁として観賞することが行われている。
このドラフラワーを利用した装飾額として、既に公開となっている公知技術がある。
この公知技術は、上面に透視窓を設けた額の中に、ドライフラワーを透視窓に面させて、ドライフラワーをアレンジした基板を挿入し、該基板を上下に介在位置させた保持片によって額の中に挟着保持するものである（特許文献１を参照）。
また、立体的な押し花額絵として、台紙上に花片、葉片を１枚ずつ接着剤により点状固着粒を介し各花片、葉片間に隙間を有して貼り重ねてなる立体的な押し花の前記台紙周囲に額状に間隔片を配置して、該間隔片の上部にガラス板を載せ、台紙と上部のガラス板との間に空間を作って、該空間に前記押し花を収納すると共に、それらに乾燥剤を含めて、底部を防湿シートで、周囲を防湿テープで密封し、厚みのある額縁内に一体的に嵌め込み構成せしめたものが公知である（特許文献２を参照）。
【特許文献１】特開２００４−３３８２４７号公報
【特許文献２】特開２００３−７２２９９号公報
【考案の開示】
【考案が解決しようとする課題】
【０００３】
本考案は、プリザーブドフラワー等を弾性発泡保持体に突き刺し自由度を持って立体的に装飾することができると共に、プリザーブドフラワー等の背丈に応じて額縁外枠を移動させて額縁長さを調節することができる額縁を提供するものである。
【課題を解決するための手段】
【０００４】
本考案の額縁は、適宜の剛性材料から作製され、開口された短筒状に組み立てられる所定高さの矩形状の側枠と、該側枠で囲まれた開口下部を塞ぐ底板と、前記側枠の外周面に沿って摺動自在に嵌合された略同形状の額縁外枠とから構成されるものにおいて、前記底板には全面にほぼ等間隔で多数点在の突刺しピンを底板の裏面側から底板の表面側へ突出して設け、前記突刺しピンに所定大きさの弾性発泡保持体を突き刺して保持し、この弾性発泡保持体にプリザーブドフラワー等を立体的に突き刺して装飾することができるものである。
また、本考案の額縁は、プリザーブドフラワー等の背丈に応じて額縁外枠を移動させて額縁高さを調節することができるものである。
【考案の効果】
【０００５】
本考案の額縁は、額縁の底部に突出させた多数点在の突刺しピンを設け、該突刺しピンに所定大きさの弾性発泡保持体を突き刺して保持し、この弾性発泡保持体にプリザーブドフラワーを立体的に突き刺し装飾して、生け花の感覚でプリザーブドフラワー等を装飾することができるものである。
また、本考案はプリザーブドフラワー等の背丈に応じて額縁外枠を移動、すなわちスライド、反転、折畳み折延ばしさせて額縁高さを調節することができるため、どのような大きさの草花でも額縁内に装飾させることができるものである。
【考案を実施するための最良の形態】
【０００６】
本考案の額縁の最良の形態を図面に基づいて、以下に説明する。
図１の平面図、図１Ａ−Ａ断面図の図２に示すように、本考案の額縁は、適宜の剛性材料、例えば木材、プラスチック、金属等から作製され、開口された短筒状に組み立てられる所定高さの矩形状の側枠１と、該側枠１で囲まれた開口下部を塞ぐ底板２と、前記側枠１の外周面に沿って摺動自在に嵌合された略同形状の額縁外枠３とから構成される。
なお、前記額縁外枠３はプリザーブドフラワー等が額縁からはみ出さないようにスライド可能にしており、前記側枠１の上端で保持されてストッパーとなるように、前記額縁外枠３の開口上端にはロ字形状の押え板４を一体又は着脱自在に設ける。
また、前記底板２には、全面にほぼ等間隔で多数点在の突刺しピン５を底板２の裏面側から底板２の表面側へ突出して設ける。
なお、前記突刺しピン５をグラグラさせないように安定的に固定するためには、図２に示すように、適宜厚さの剛性材料、例えば木材、プラスチック、金属等から作製された支持板６を介して多数点在の突刺しピン５を底板２の裏面側から底板２の表面側へ突出して設ければよい。
【０００７】
次に、本考案の額縁の使用方法を図面に基づいて、以下に説明する。
本考案の額縁は、底板２全面に多数点在の突刺しピン５が突き出しているので、前記突刺しピン５に所定厚さの立方状体、例えばポリスチレン発泡体からなる弾性発泡保持体７を突き刺して、前記額縁の底部に所定数の弾性発泡保持体７を保持させる。
この弾性発泡保持体７にプリザーブドフラワー等８を立体的に突き刺して飾るものである。
すなわち、プリザーブドフラワー等８を飾る場合には、前記弾性発泡保持体７に前記プリザーブドフラワー等８を正面から見た時の装飾性を考慮しながら、直接突き刺せば良いし、前記プリザーブドフラワー等８の背丈が高い場合には、額縁外枠３を上方へスライドさせて側枠１から少し引き出し、ほぼ前記プリザーブドフラワー等８の高さ位置まで額縁外枠３の押え板４が来るようにすれば良い。
なお、図２においては、前記プリザーブドフラワー等８の高さが側枠１と略同一なので前記額縁外枠３は引き出されていない。
また、前記プリザーブドフラワー等８を飾らない場合には、前記額縁に前記弾性発泡体７を保持させたまま、前記額縁外枠３を引っ込ませた状態で保管しておけば良い。
【０００８】
次に、本考案の額縁の実施例１を図面に基づいて、以下に説明する。
図３に示すように、額縁外枠９を側枠１より長く形成し、額縁の他の構成は変更しないものとする。
このようにすることにより、図４に示すように、前記プリザーブドフラワー等が特に大きい場合には前記額縁外枠９を上方にスライドさせて前記プリザーブドフラワー等が前記額縁外枠９の押え板４からはみ出さないようにすることができる。
【０００９】
次に、本考案の額縁の実施例２を図面に基づいて、以下に説明する。
図５に示すように、額縁外枠１０の内周面の２／３高さ位置に周囲溝１１を形成し、該周囲溝１１に側枠１の上端に係合してストッパーとなるロ字形状のストッパー枠１２を設けると共に、前記押え板４を係脱自在に構成し、額縁の他の構成は変更しないものである。
このようにすることにより、図６に示すように、前記プリザーブドフラワー等が大きい場合には前記額縁外枠１０を一旦取外し、前記押え板４を取外して前記額縁外枠１０を反転させて再度側枠１に挿入し、前記ストッパー枠１２で側枠１の上端に支持させてから前記押え板４を係合することにより、前記プリザーブドフラワー等が前記額縁外枠１０の押え板４からはみ出さないようにすることができる。
【００１０】
さらに、本考案の額縁の実施例３を図面に基づいて、以下に説明する。
図７の平面図、図８の正面図に示すように、額縁外枠３の下端に蝶番１３を介して補助外枠１４を設け、額縁外枠３を折畳み自在に形成し、額縁の他の構成は変更しないものである。
図９に示すように、通常は実線で示すように補助外枠１４を額縁外枠１３側へ折り畳み押え板４で額縁を支持し、前記プリザーブドフラワー等が大きい場合には前記補助外枠１４を折り延ばしさせて一点鎖線で示す位置で補助外枠１４下端により額縁を支持させ、前記プリザーブドフラワー等が前記額縁外枠９の押え板４からはみ出さないようにすることができる。
【図面の簡単な説明】
【００１１】
【図１】本考案の額縁の平面図である。
【図２】図１のＡ−Ａ断面図である。
【図３】本考案の実施例１の額縁の通常状態の正面図である。
【図４】本考案の実施例１の額縁の引延ばし状態の正面図である。
【図５】本考案の実施例２の額縁の通常状態の正面図である。
【図６】本考案の実施例２の額縁の引延ばし状態の正面図である。
【図７】本考案の実施例３の額縁の平面図である。
【図８】本考案の実施例３の額縁の正面図である。
【図９】本考案の実施例３の額縁の拡大要部断面図である。
【符号の説明】
【００１２】
１  側枠
２  底板
３  額縁外枠
４  押え板
５  突刺しピン
６  支持板
７  弾性発泡保持体
８  プリザーブドフラワー等
９  額縁外枠
１０  額縁外枠
１１  周囲溝
１２  ストッパー枠
１３  蝶番
１４  補助外枠
【図１】
0003118183.tif 000003
【図２】
0003118183.tif 000004
【図３】
0003118183.tif 000005
【図４】
0003118183.tif 000006
【図５】
0003118183.tif 000007
【図６】
0003118183.tif 000008
【図７】
0003118183.tif 000009
【図８】
0003118183.tif 000010
【図９】
0003118183.tif 000011